(57)【要約】  １つ以上の翼の方向を変えるのに用いられるアクチュエータデバイスと、アクチュエータロッドの一端部における第１の流体とアクチュエータロッドの反対側の端部における第２の流体とを分離する関連する方法を提供する。アクチュエータデバイスは、アクチュエータロッドと、アクチュエータロッドをアクチュエータデバイス本体内部において軸線に沿って移動可能に構成されたアクチュエータデバイス本体であって、第３の流体をアクチュエータデバイス本体とアクチュエータロッドとの間の空間に流入させるように構成された入口フランジと、第３の流体をアクチュエータデバイス本体から排出させるように構成された出口フランジとを有するアクチュエータデバイス本体とを備える。第１の流体と第２の流体との間の流体シールを提供することに加え、第３の流体は、アクチュエータロッドを加熱することができ、これによって氷結を防ぐことができる。【選択図】図３
2014533334.tif 000002
【特許請求の範囲】
【請求項１】
１つ以上の翼の方向を変えるのに用いられるアクチュエータデバイスにおいて、
軸線に沿って力を伝達するように構成され、第１の端部が第１の流体に晒され、第２の端部が第２の流体に晒され、前記第２の端部が前記軸線に沿って前記第１の端部の反対側にあるアクチュエータロッドと、
内部において前記アクチュエータロッドを前記軸線に沿って移動可能に構成されたアクチュエータデバイス本体であって、第３の流体を該アクチュエータデバイス本体と前記アクチュエータロッドとの間の空間に流入させるように構成された第１の入口フランジと、前記第３の流体を該アクチュエータデバイス本体から排出させるように構成された第１の出口フランジとを有するアクチュエータデバイス本体と
を備え、
（１）前記第３の流体の圧力は、前記第１の流体の圧力よりも高く、（２）前記第１の出口フランジは、前記第１の入口フランジよりも前記アクチュエータロッド（３１０）の第１の端部側に設けられている、アクチュエータデバイス。
【請求項２】
前記第３の流体は、前記第１の流体と略同じ組成であり、前記第３の流体は、前記第１の流体とは温度が異なる、請求項１に記載のアクチュエータデバイス。
【請求項３】
前記アクチュエータロッドは、前記軸線に沿って、前記第１の入口フランジの位置と第１の出口フランジとの間に配置された段差を有し、前記第１の入口フランジの位置と前記段差の位置との間の前記軸線に垂直な前記アクチュエータロッドの第１の面積は、前記段差の位置と前記第１の出口フランジとの間の前記軸線に垂直な前記アクチュエータロッドの第２の面積よりも小さい、請求項１または２に記載のアクチュエータデバイス。
【請求項４】
前記アクチュエータデバイス本体は、さらに
前記アクチュエータデバイス本体と前記アクチュエータロッドとの間の空間に中性流体を流入させるように構成された第２の入口フランジと、
前記中性流体を前記アクチュエータデバイス本体から排出させるように構成された第２の出口フランジと
を備え、
前記第１の入口フランジおよび前記第１の出口フランジは、前記第２の入口フランジおよび前記第２の出口フランジよりも前記第１の端部側に設けられている、請求項１乃至３いずれか１項に記載のアクチュエータデバイス。
【請求項５】
前記中性流体は、窒素を約７０％含有する、請求項１乃至４いずれか１項に記載のアクチュエータデバイス。
【請求項６】
前記アクチュエータデバイス本体は、内部に前記第２の流体が封入された閉鎖された空洞を有し、前記空間に流入する前記中性流体の圧力は、前記第２の流体の圧力よりも高い、請求項１乃至５いずれか１項に記載のアクチュエータデバイス。
【請求項７】
前記アクチュエータデバイス本体は、さらに
前記中性流体および／または前記第３の流体を前記アクチュエータデバイス本体から排出させるように構成され、前記軸線に沿って前記第１の入口フランジと前記第２の出口フランジとの間に配置された通気口を備える、請求項１乃至６いずれか１項に記載のアクチュエータデバイス。
【請求項８】
前記第１の入口フランジに流入する前に前記第３の流体の現在温度を変化させるように構成された第３の流体用温度調節器をさらに備える、請求項１乃至７いずれか１項に記載のアクチュエータデバイス。
【請求項９】
圧縮機において、
当該圧縮機を通過する第１の流体の方向および流量の少なくとも一方を決定するように構成された１つ以上の翼と、
前記１つ以上の翼に力を印加するように構成されたアクチュエータデバイスと
を備え、
前記アクチュエータデバイスは、
軸線に沿って力を伝達するように構成され、第１の端部が第１の流体に晒され、第２の端部が第２の流体に晒され、前記第２の端部が前記軸線に沿って前記第１の端部の反対側にあるアクチュエータロッドと、
内部において前記アクチュエータロッドを前記軸線に沿って移動可能に構成されたアクチュエータデバイス本体であって、第３の流体を該アクチュエータデバイス本体と前記アクチュエータロッドとの間の空間に流入させるように構成された第１の入口フランジと、前記第３の流体を該アクチュエータデバイス本体から排出させるように構成された第１の出口フランジとを有するアクチュエータデバイス本体と
を備え、
（１）前記第３の流体の圧力は、前記第１の流体の圧力よりも高く、（２）前記第１の出口フランジは、前記第１の入口フランジよりも前記アクチュエータロッド（３１０）の第１の端部側に設けられている、圧縮機。
【請求項１０】
アクチュエータバーの第１の端部における圧縮機流体と前記アクチュエータバーの第２の端部における環境とをシーリングする方法において、前記第２の端部は、前記第１の端部の反対側にあり、前記アクチュエータバーは、アクチュエータデバイス本体内において軸線に沿って移動するように構成され、
圧縮機の出力からの圧縮機流体である第１の流体流を、前記アクチュエータ本体の第１の入口フランジおよび前記アクチュエータ本体の第１の出口フランジを介して、前記アクチュエータデバイス本体と前記アクチュエータロッドとの間の空間に供給する工程であって、（１）前記第１の流体流における前記圧縮機流体の圧力は、前記アクチュエータバーの前記第１の端部における圧縮機流体の圧力よりも高く、（２）前記第１の出口フランジは、前記第１の入口フランジよりも前記アクチュエータロッドの前記第１の端部側に設けられている工程と、
中性流体である第２の流体流を、前記アクチュエータ本体の第２の入口フランジおよび前記アクチュエータ本体の第２の出口フランジを介して、前記アクチュエータデバイス本体と前記アクチュエータロッドとの間の空間に供給する工程であって、（３）前記第１の入口フランジおよび前記第１の出口フランジは、前記第２の入口フランジおよび前記第２の出口フランジよりも前記第１の端部側に設けられ、（４）前記第２の入口フランジは、前記第２の出口フランジよりも前記アクチュエータバーの前記第２の端部側に設けられている工程と
を有する、方法。
【発明の詳細な説明】
【技術分野】
【０００１】
本明細書に開示する主題の実施形態は、概して、可変吸込翼装置のアクチュエータロッドをシーリングする方法および装置、より具体的には、その機構および手法に関する。
【背景技術】
【０００２】
近年、様々な産業において、圧縮機の重要性が高まっている。圧縮機は、エンジン、タービン、発電、低温用途、石油およびガス処理等に用いられている。したがって、圧縮機に関する種々の機構および技術は、このターボ機械の効率向上および特定の状況に関する課題解決のために研究されていることが多い。
【０００３】
作動システムは、圧縮機、ポンプ、膨張機等の様々な機器において、機器の現在の状態を変化させるために力を印加するために用いられる。例えば、作動システムは、適切なサージを保証し効率を最大限に高める等のために、圧縮機用途において用いられる可動入口案内翼（ＩＧＶ）を動作させて、圧縮機のロータに流入する空気の流入角を調整し、流入空気量を調節することができる。
【０００４】
可動ＩＧＶ装置１００の一例を図１に示す。この図は、非特許文献１から複製したものであり、非特許文献１は、全体が引用により本明細書に組み込まれる。可動ＩＧＶ装置１００は、第１の翼１０４に直接接続されたアクチュエータレバー１０２を備える。第１の翼１０４は、駆動アーム１０６を介して駆動リング１０８に接続されている。第１の翼１０４は、案内翼キャリア１１０に回転可能に取付けられている。他の複数の翼１１２も、案内翼キャリア１１０に回転可能に取付けられている。複数の翼１１２は、駆動リング１０８に接続された複数のリンク機構１１４によって作動する。したがって、アクチュエータレバー１０２を回転させると、この回転により、第１の翼１０４が回転するとともに駆動リング１０８が移動し、これにより、複数のリンク機構１１４が動作して複数の翼１１２が回転する。
【０００５】
図２に、可動ＩＧＶ装置の動作方法を示す（ここで、１１６は案内翼キャリアである。）。接点１１８において、アクチュエータバー１２０から印加される作動力Ｆが駆動リング１０８に伝達される。アクチュエータロッド１２０から伝達される作動力は、アクチュエータデバイス１３０によって発生する。アクチュエータデバイス１３０は、アクチュエータデバイス内に配置された制御電子装置１４０によって少なくとも部分的に制御および／または監視される。
【０００６】
可動ＩＧＶ装置１００が動作し得る悪環境を（例えば、天然ガス設備における使用）を想定すると、制御電子装置１４０はこの環境から隔離される。従来、このような制御電子装置１４０の環境からの隔離は、メカニカルシール、例えばアクチュエータデバイス１３０の本体とアクチュエータロッド１２０との間の間隔を閉じるばねによって付勢される運動用シールを用いて達成される。
【先行技術文献】
【非特許文献】
【０００７】
【非特許文献１】Ｍ．Ｈｅｎｓｇｅｓ，Ｓｉｍｕｌａｔｉｏｎ  ａｎｄ  Ｏｐｔｉｍｉｚａｔｉｏｎ  ｏｆ  ａｎ  Ａｄｊｕｓｔａｂｌｅ  Ｉｎｌｅｔ  Ｇｕｉｄｅ  Ｖａｎｅ  ｆｏｒ  Ｉｎｄｕｓｔｒｉａｌ  Ｔｕｒｂｏ  Ｃｏｍｐｒｅｓｓｏｒｓ，ｔｈｅ  Ｐｒｏｃｅｅｄｉｎｇｓ  ｏｆ  ＡＳＭＥ  Ｔｕｒｂｏ  Ｅｘｐｏ  ２００８：Ｐｏｗｅｒ  ｆｏｒ  Ｌａｎｄ，Ｓｅａ  ａｎｄ  Ａｉｒ（２００８年６月９日〜１３日）
【発明の概要】
【０００８】
メカニカルシールは、十分に動作しないことがわかっている。さらに、環境中（すなわち、アクチュエータデバイスの外部）のガスは、低温（極低温）である場合があり、したがって、アクチュエータデバイス１３０の本体内部から延在する熱良導体であるアクチュエータロッド１２０が冷却され、（筐体内部の湿気が凝結することにより）氷結する場合がある。この氷がアクチュエータバーの動きを阻害する場合がある。
【０００９】
さらに、作動力が油圧により発生する場合、アクチュエータデバイス１３０の内部と外部との圧力差により問題（例えば、不均衡および力の印加）および非効率（例えば、作動力の方向が変化してしまう）がさらに生じることがあり、この場合シーリングの効果がなくなってしまう。
【００１０】
したがって、上述の課題および欠点を回避する装置および方法の提供が望まれる。
【００１１】
様々な実施形態によれば、アクチュエータロッドの一端部における第１の流体とアクチュエータロッドの反対側の端部における第２の流体との分離が、少なくとも１本の流体流を用いることによって達成される。
【００１２】
例示的な一実施形態によれば、１つ以上の翼の方向を変えるのに用いられるアクチュエータデバイスは、アクチュエータロッドと、アクチュエータデバイス本体とを備える。アクチュエータロッドは、軸線に沿って力を伝達するように構成され、第１の流体中の第１の端部と第２の流体中の第２の端部を有し、第２の端部が軸線に沿って第１の端部の反対側にある。アクチュエータデバイス本体は、内部においてアクチュエータロッドを軸線に沿って移動可能に構成され、第３の流体をアクチュエータデバイス本体とアクチュエータロッドとの間の空間に流入させるように構成された第１の入口フランジと、第３の流体をアクチュエータデバイス本体から排出させるように構成された第１の出口フランジとを有する。第３の流体の圧力は、第１の流体の圧力よりも高く、第１の出口フランジは、第１の入口フランジよりもアクチュエータロッドの第１の端部側に設けられている。
【００１３】
他の例示的な実施形態によれば、圧縮機は、圧縮機を通過する第１の流体の方向および流量の少なくとも一方を決定するように構成された１つ以上の翼と、１つ以上の翼に力を印加するように構成されたアクチュエータデバイスとを備える。アクチュエータデバイスは、アクチュエータロッドと、アクチュエータデバイス本体とを備える。アクチュエータロッドは、軸線に沿って力を伝達するように構成され、第１の流体中の第１の端部と第２の流体中の第２の端部を有し、第２の端部が軸線に沿って第１の端部の反対側にある。アクチュエータデバイス本体は、内部においてアクチュエータロッドを軸線に沿って移動可能に構成され、第３の流体をアクチュエータデバイス本体とアクチュエータロッドとの間の空間に流入させるように構成された第１の入口フランジと、第３の流体をアクチュエータデバイス本体から排出させるように構成された第１の出口フランジとを有する。第３の流体の圧力は、第１の流体の圧力よりも高く、第１の出口フランジは、第１の入口フランジよりもアクチュエータロッドの第１の端部側に設けられている。
【００１４】
他の例示的な実施形態によれば、アクチュエータバーの第１の端部における圧縮機流体とアクチュエータバーの第２の端部における環境とをシーリングする方法であって、第２の端部は、第１の端部の反対側にあり、アクチュエータバーは、アクチュエータデバイス本体内において軸線に沿って移動するように構成された方法が提供される。本方法は、圧縮機の出力からの圧縮機流体である第１の流体流を、アクチュエータ本体の第１の入口フランジおよびアクチュエータ本体の第１の出口フランジを介して、アクチュエータデバイス本体とアクチュエータロッドとの間の空間に供給する工程を有し、（１）第１の流体流における圧縮機流体の圧力は、アクチュエータバーの第１の端部における圧縮機流体の圧力よりも高く、（２）第１の出口フランジは、第１の入口フランジよりもアクチュエータロッドの第１の端部側に設けられている。さらに、本方法は、中性流体である第２の流体流を、アクチュエータ本体の第２の入口フランジおよびアクチュエータ本体の第２の出口フランジを介して、アクチュエータデバイス本体とアクチュエータロッドとの間の空間に供給する工程を有し、（３）第１の入口フランジおよび第１の出口フランジは、第２の入口フランジおよび第２の出口フランジよりも第１の端部側に設けられ、（４）第２の入口フランジは、第２の出口フランジよりもアクチュエータバーの第２の端部側に設けられている。
【００１５】
明細書に組み込まれてその一部を構成する添付図面は、一実施形態または複数の実施形態を示し、明細書とともにこれらの実施形態を説明する。
【図面の簡単な説明】
【００１６】
【図１】入口案内翼（ＩＧＶ）装置の概略図である。
【図２】入口案内翼（ＩＧＶ）装置を動作させるアクチュエータデバイスの図である。
【図３】例示的な実施形態に係るアクチュエータデバイスの概略図である。
【図４】他の例示的な実施形態に係るアクチュエータデバイスの概略図である。
【図５】他の例示的な実施形態に係るアクチュエータデバイスの概略図である。
【図６】他の例示的な実施形態に係るアクチュエータデバイスの概略図である。
【図７】他の例示的な実施形態に係る圧縮機の入口案内翼（ＩＧＶ）を動作させるアクチュエータデバイスの概略図である。
【図８】例示的な実施形態に係る、圧縮機のアクチュエータバーの第１の端部における圧縮機流体をアクチュエータバーの第２の端部における環境からシーリングする方法であって、第２の端部が第１の端部の反対側であり、アクチュエータバーが軸線に沿って移動するように構成されている方法のフローチャートである。
【発明を実施するための形態】
【００１７】
以下の例示的な実施形態の説明において、添付図面を参照する。各図において、同じ参照符号は同様または類似の要素を示す。以下の詳細な説明は、本発明を限定するものではない。むしろ、本発明の範囲は特許請求の範囲により定められる。以下の実施形態では、単純化するため、アクチュエータデバイスを介して力を印加することにより変化する吸込翼を有する圧縮機の用語および構造について述べる。なお、次に述べる実施形態は、これらの圧縮機に限定されるものではなく、アクチュエータロッドの一端部における環境をアクチュエータロッドの他端部における環境から隔離させる必要がある他の装置にも適用することができる。
【００１８】
明細書全体を通して、「一実施形態」または「或る実施形態」に言及した場合、或る実施形態に関して記載された特定の特徴、構造、特性が、開示された主題の少なくとも一実施形態に含まれることを意味する。したがって、明細書全体を通して各所に用いられる「一実施形態において」または「或る実施形態において」という表現は、必ずしも同じ実施形態に言及するものであるとは限らない。さらに、特定の特徴、構造、特性を、１つ以上の実施形態において適宜組み合わせてもよい。
【００１９】
各実施形態に係るアクチュエータデバイスにおいて、ばねを用いたメカニカルシールを、アクチュエータロッドとアクチュエータ本体との間を循環する１本以上の流体流を用いた動的シーリングに置き換える。流体流の少なくとも１本により、アクチュエータロッドを加熱して氷結を抑制してもよい。
【００２０】
図３は、軸線３０５に沿って力を印加するように構成されたアクチュエータデバイス３００の例示的な実施形態を示す。アクチュエータデバイス３００は、１つ以上の翼の向きを変えるために用いられ得る。アクチュエータデバイス３００は、軸線３０５に沿って力を伝達するように構成されたアクチュエータロッド３１０を備える。アクチュエータロッド３１０の第１の端部３１２は、第１の流体、例えば圧縮機に入る天然ガスによって囲まれている。
【００２１】
アクチュエータロッド３１０は、アクチュエータデバイス本体３２０を貫通して動くように配設されている。換言すれば、アクチュエータデバイス本体３２０は、アクチュエータロッド３１０がアクチュエータデバイス本体３２０内部を軸線３０５に沿って動くことができるように構成されている。アクチュエータロッド３１０の第２の端部３１４（この第２の端部は、軸線３０５に沿って第１の端部３１２の反対側である）は、アクチュエータデバイス本体３２０の空洞３１６内に封入された第２の流体に晒され得る。制御電子装置３１８が、第２の流体に晒されるアクチュエータデバイス本体３２０に配設され得る。制御電子装置という用語は、アクチュエータおよび／またはアクチュエータモータを表し得る。本発明は、腐食性の第１の流体から隔離された状態に維持される第２の流体に晒された、制御電子装置と総称される１つまたは複数の装置によって限定されるものではない。
【００２２】
第２の流体は、電子装置３１８に悪影響を及ぼさない空気または他の流体とすることができる。なお、圧縮機内で圧縮され得る天然ガスは、通常腐食性であり、典型的には、電子装置を急速に劣化させる。したがって、アクチュエータデバイス本体３２０およびアクチュエータロッド３１０は、第１の流体（例えば、天然ガス）が第２の流体（例えば、空気）と混ざらないように構成かつ操作される。
【００２３】
アクチュエータ本体３２０は、したがって、アクチュエータ本体内の、アクチュエータロッド３１０とアクチュエータ本体３２０との間の空間に第３の流体が流れることができるように構成されている。第３の流体がこの空間に流入可能にするため、アクチュエータデバイス本体３２０は第１の入口フランジ３２２を有している。また、第３の流体がアクチュエータデバイス本体から排出可能にするため、アクチュエータデバイス本体３２０は第１の出口フランジ３２４を有している。このため、第３の流体は、第１の入口フランジ３２２から第１の出口フランジ３２４まで、軸線３０５に平行かつアクチュエータロッド３１０とアクチュエータデバイス本体３２０との間を流れる。第１の出口フランジ３２４は、第１の入口フランジ３２２よりもアクチュエータロッド３１０の第１の端部３１２の側にあり得る。第３の流体は、第１の流体よりも高い圧力、および／または、第１の流体と略同様の組成を有し得る。例えば、第３の流体は、圧縮機の出口から再循環させた第１の流体を圧縮したもの（すなわち、ガス）であってもよい。
【００２４】
第３の流体は、温度が第１の流体とは異なり得る。第３の流体の温度を制御するために、熱交換器または同様の既知の装置が用いられ得る。これにより、熱良導体（例えば、金属または合金）製の熱良導体であるアクチュエータロッド３１０を第３の流体によって加熱して、凝結および氷結が起こらないようにすることができる。
【００２５】
複数のメカニカルシール３３０を様々な位置に配設してもよいが、本発明概念は他のシールの配設によって限定されるものではない。アクチュエータデバイス３００内のアクチュエータロッド３１０と軸線３０５に沿って発生する力によって動作する１つ以上の翼との間には、連接棒３４０が設けられてもよいが、本発明概念はこのような連接棒の配設によって限定されるものではない。
【００２６】
また、第３の流体流は、軸線に沿って力を発生するために用いてもよい。例えば、図４に示すように、他の例示的な実施形態に係るアクチュエータデバイス４００は、段差４１５を有するアクチュエータロッド４１０を、軸線３０５に沿って、シーリング用の入口フランジ３２２の位置とシーリング用の出口フランジ３２４との間に備える。換言すれば、シーリング用の入口フランジの位置と段差４１５との間の軸線３０５に垂直なアクチュエータロッド４１０の第１の面積Ａ１は、段差４１５とシーリング用の出口フランジ３２４との間の軸線に垂直なアクチュエータロッド４１０の第２の面積Ａ２よりも小さい。この断面積（第３の流体流の方向、すなわち軸線３０５に平行な方向に垂直）の変化により、第３の流体はロッドのシーリングだけでなく流れ方向に力を発生し、これによりアクチュエータデバイス４００の全体の力に寄与する。また、段差４１５には、圧縮機からの流体が一方向からロッド４１０に作用し、第３の流体がその逆方向からロッド４１０に作用するときの均衡化効果がある。
【００２７】
図５に示す他の例示的な実施形態において、アクチュエータデバイス５００は、アクチュエータデバイス本体５２０とアクチュエータロッド３１０との間の空間に他の流体が流入可能なように構成されたアクチュエータデバイス本体５２０を備える。アクチュエータデバイス本体５２０は、アクチュエータデバイス本体５２０とアクチュエータロッド３１０との中間の空間に中性の流体が流入可能なように構成された第２の入口フランジ５３２と、この中性流体がアクチュエータデバイス本体５２０から排出可能なように構成された第２の出口フランジ５３４とを備える。第１の入口フランジ３２２および第１の出口フランジ３２４は、第２の入口フランジ５３２および第２の出口フランジ５３４よりもアクチュエータロッド３１０第１の端部３１２側にある。また、第２の入口フランジ５３２は、第２の出口フランジ５３４よりもアクチュエータロッド３１０の第２の端部３１４側にある。中性流体は、主として窒素（Ｎ2）であってもよく、例えば、中性流体は窒素を７０％含む。
【００２８】
上記空間に流入する中性流体の圧力が第１の入口フランジ３２２に流入する流体の圧力よりも高いと、３２２からの流体が電子装置３１８が設置された閉鎖空洞３１６に向かって進むのをさらに防ぐことができる。このため、アクチュエータロッド３１０の周囲のシーリングがさらに強化される。もちろん、シーリング強化のために、従来のシール３３０をロッド３１０第２の端部３１４側に設けてもよい。
【００２９】
さらに、アクチュエータデバイス本体は、軸線３０５に沿って第１の入口フランジ３２２と第２の出口フランジ５３４との間に配置され、中性流体および／または第３の流体がアクチュエータデバイス本体５２０から排出可能となるように構成された通気口５５０を備えてもよい。
【００３０】
図６は、上述した特徴の複数を有するアクチュエータデバイス６００の一実施形態を示す（図３〜図６における同じ参照符号は、同じまたは同様の要素を示す。）。また、アクチュエータデバイス６００（あるいはアクチュエータ３００、４００、５００のいずれか）は、第１の入口フランジ３２２に流入する前に第３の流体の現在温度を変化させるように構成された第３の流体の温度調節器６６０を備えてもよい。第３の流体は、アクチュエータデバイスの特定の用途／使用法によって加熱または冷却することができる。
【００３１】
図７に示す全体図において、圧縮機７００は、圧縮機を通過する第１の流体の方向および流量の少なくとも一方を決定するように構成された１つ以上の翼７１０と、アクチュエータデバイス７２０とを備える。アクチュエータデバイス７２０は、上述のデバイス３００、４００、５００、６００のいずれであってもよく、これらの１つ以上の翼７１０に力を印加するように構成されている。圧縮機７００は、上記１つ以上の翼を通過した第１の流体を受けて第１の流体を圧縮し、圧縮した第１の流体を出力するように構成された圧縮機本体７３０を備える。第３の流体は、圧縮された第１の流体の一部であってもよい。
【００３２】
上述の実施形態では、アクチュエータロッドの第１の端部における圧縮機流体とアクチュエータロッドの第２の端部における環境とをシーリングする方法８００を実行するものもあり、第２の端部は第１の端部の反対側であり、アクチュエータバーは、アクチュエータデバイス本体内を軸線に沿って動くように構成されている。図８に示す方法８００は、Ｓ８１０において、圧縮機の出力からの圧縮機流体である第１の流体流を、アクチュエータ本体の第１の入口フランジおよびアクチュエータ本体の第１の出口フランジを介して、アクチュエータデバイス本体とアクチュエータロッドとの間の空間に供給することを含み、（１）第１の流体流における圧縮機流体の圧力は、アクチュエータバーの第１の端部における圧縮機流体の圧力よりも高く、（２）第１の出口フランジは、第１の入口フランジよりもアクチュエータロッドの第１の端部側に設けられている。
【００３３】
また、方法８００は、Ｓ８２０において、中性流体である第２の流体流を、アクチュエータ本体の第２の入口フランジおよびアクチュエータ本体の第２の出口フランジを介して、アクチュエータデバイス本体とアクチュエータロッドとの間の空間に供給することを含み、（３）第１の入口フランジおよび第１の出口フランジは、第２の入口フランジおよび第２の出口フランジよりも第１の端部側に設けられ、（４）第２の入口フランジは、第２の出口フランジよりもアクチュエータバーの第２の端部側に設けられている。
【００３４】
開示した例示的な実施形態は、ターボ機械のＩＧＶのアクチュエータの氷結を防止するとともに均衡化する、シーリング装置および方法を提供する。なお、本説明は、本発明を限定するものではない。むしろ、例示的な実施形態は、変形例、変更例、同等物を包含するものであり、これらは請求の範囲によって定められる趣旨および範囲に含まれる。さらに、例示的な実施形態の詳細な説明では、請求の範囲に記載された発明の包括的な理解を与えるために数多くの詳細事項が述べられている。しかしながら、当業者であれば、このような特定の詳細事項なしで様々な実施形態が実施可能であることがわかる。
【００３５】
例示的な実施形態の特徴および要素は、特定の組合せで記載されているが、各特徴および各要素は、実施形態における他の特徴および要素なしで単独で用いることができ、あるいは、本明細書に開示した他の特徴および要素を伴ってまたは伴わずに様々な組合せで用いることができる。
【００３６】
本明細書では、当業者が、装置またはシステムの製造および使用、組み合わせられる方法の実行を含み、開示された主題を実施可能であるように、開示された主題の実施例を用いている。主題の特許を受ける範囲は、請求の範囲により定義され、当業者が想到する他の実施例も含み得る。このような他の実施例も請求の範囲に含まれるものである。
【図１】
2014533334.tif 000003
【図２】
2014533334.tif 000004
【図３】
2014533334.tif 000005
【図４】
2014533334.tif 000006
【図５】
2014533334.tif 000007
【図６】
2014533334.tif 000008
【図７】
2014533334.tif 000009
【図８】
2014533334.tif 000010
【国際調査報告】
2014533334.tif 000011
2014533334.tif 000012
2014533334.tif 000013